(57)【要約】【課題】ネットワークに接続していること、同時間帯に同じタイトルのコンテンツを再生すること等の条件に制限されることなく、コンテンツに対する鑑賞を共有することができ、コンテンツ配信サービスを行うプロバイダに対しては、コメントの集計、保管及び提供等の負担を解消できる記録再生装置、再生装置、記録方法、再生方法及びコンピュータプログラムを提供する。【解決手段】ハイブリッドディスクＣのコンテンツの再生の際、該コンテンツに係る付加データを受け付け、受け付けた付加データを、受け付けた際の表示部４の表示画像及び受け付けた受付時間に関連付けてハイブリッドディスクＣに記録する。ハイブリッドディスクＣのコンテンツを再生する際には、前記受付時間及び表示画面に基づき、前記付加データに基づく付加画像（例えば、コメント）を表示部４に表示する。【選択図】図１
2011181137.tif 000002
【特許請求の範囲】
【請求項１】
画像コンテンツのデータを記録してある第１層と、データの書き込みが可能な第２層とを有している光ディスクから、前記画像コンテンツのデータを読み取って再生する一方、前記第２層にデータを記録する記録再生装置において、
画像コンテンツの再生の際、該画像コンテンツに係る付加データを受け付ける受付手段と、
該受付手段が受け付けた付加データを前記第２層に記録する記録手段と
を備えることを特徴とする記録再生装置。
【請求項２】
前記受付手段が付加データを受け付けた時間を特定する時間特定手段を備え、
前記記録手段は、
前記付加データを、受け付け時に再生していた画像を特定する画像特定データ、及び前記時間特定手段による時間データに対応付けて前記第２層に記録するように構成されていることを特徴とする請求項１に記載の記録再生装置。
【請求項３】
前記画像コンテンツの再生中であるか否かを判定する再生判定手段を備え、
該再生判定手段が前記画像コンテンツの再生中でないと判定した場合、前記記録手段は前記付加データを前記第２層に記録するように構成されてあることを特徴とする請求項１又は請求項２に記載の記録再生装置。
【請求項４】
画像コンテンツのデータを記録してある第１層と、該画像コンテンツに係る付加データが、所定の時間を表す時間データ、及び前記画像コンテンツの何れかの画像を特定する画像特定データに対応付けて記録された第２層とを有している光ディスクから、前記画像コンテンツのデータを読み取って再生する再生装置において、
前記画像コンテンツの再生の際、前記第２層から読み取られた画像特定データに対応する画像に、前記付加データを重畳する重畳手段と、
所定の画像特定データに係る付加データが複数であるか否かを判定する複数判定手段とを備え、
所定の画像特定データに係る付加データが複数である場合、前記重畳手段は、前記第２層から読み取られた時間データに基づき、該複数の付加データを時間順に重畳するように構成されてあることを特徴とする再生装置。
【請求項５】
所定の画像特定データに係る付加データが複数である場合、
前記重畳手段は前記複数の付加データの中、一部のデータを重畳するように構成され、
前記重畳手段によって前記複数の付加データの中、一部のデータが重畳された場合、未重畳の付加データの数を表す数データを重畳する数重畳手段を備えていることを特徴とする請求項４に記載の再生装置。
【請求項６】
全ての付加データを重畳する指示を受け付ける指示受付手段と、
前記重畳手段によって前記複数の付加データの中、一部のデータが重畳された場合、前記指示を受け付けたか否かを判定する指示判定手段とを備え、
該指示判定手段が前記指示を受け付けたと判定した場合、前記重畳手段は全ての付加データを重畳するように構成されていることを特徴とする請求項５に記載の再生装置。
【請求項７】
外部から前記画像コンテンツに係る付加データを取得する取得手段を備え、
該取得手段が取得した付加データを、前記重畳手段が前記画像コンテンツの画像に重畳するように構成されていることを特徴とする請求項４から６までの何れか一つに記載の再生装置。
【請求項８】
画像コンテンツのデータを記録してある第１層と、データの書き込みが可能な第２層とを有している光ディスクから、前記画像コンテンツのデータを読み取って前記画像コンテンツを再生する一方、前記第２層にデータを記録し、時間を特定する時間特定手段を備える記録再生装置にて、前記画像コンテンツに係る付加データを前記第２層に記録する記録方法において、
前記画像コンテンツの再生の際、前記付加データを受け付ける受付ステップと、
該受付ステップが受け付けた付加データを、受け付け時に再生していた画像を特定する画像特定データ、及び前記時間特定手段による時間データに対応付けて前記第２層に記録する記録ステップと
を含むことを特徴とする記録方法。
【請求項９】
画像コンテンツのデータを記録してある第１層と、該画像コンテンツに係る付加データが、所定の時間を表す時間データ、及び前記画像コンテンツの何れかの画像を特定する画像特定データに対応付けて記録された第２層とを有している光ディスクから、前記画像コンテンツのデータを読み取って前記画像コンテンツを再生する再生装置にて、前記付加データを再生する再生方法において、
前記画像コンテンツの再生の際、前記第２層から読み取られた画像特定データに対応する画像に、前記付加データを重畳する重畳ステップと、
所定の画像特定データに係る付加データが複数であるか否かを判定する複数判定ステップとを含み、
所定の画像特定データに係る付加データが複数である場合、前記重畳ステップでは前記第２層から読み取られた時間データに基づき、該複数の付加データを時間順に重畳することを特徴とする再生方法。
【請求項１０】
画像コンテンツのデータを記録してある第１層と、データの書き込みが可能な第２層とを有している光ディスクから、前記画像コンテンツのデータを読み取って再生し、前記画像コンテンツに係る付加データを受け付ける受付手段と、データを前記第２層に記録する記録手段と、時間を特定する時間特定手段とを備える記録再生装置を構成するコンピュータに、前記受付手段が受け付けた付加データを前記第２層に記録させるコンピュータプログラムにおいて、
コンピュータに、前記受付手段が受け付けた付加データを、受け付け時に再生していた画像を特定する画像特定データ、及び前記時間特定手段による時間データに対応付けさせるステップと、
コンピュータに、前記受付手段が受け付けた付加データと、該付加データに対応する画像特定データ及び時間データとを前記記録手段が記録するように制御させるステップと
を含むことを特徴とするコンピュータプログラム。
【請求項１１】
画像コンテンツのデータを記録してある第１層と、該画像コンテンツに係る付加データが、所定の時間を表す時間データ、及び前記画像コンテンツの何れかの画像を特定する画像特定データに対応付けて記録された第２層を有している光ディスクから、前記画像コンテンツのデータを読み取って前記画像コンテンツを再生する再生装置を構成するコンピュータに、前記付加データを再生させるコンピュータプログラムにおいて、
コンピュータに、前記画像コンテンツの再生の際、前記第２層から読み込まれた画像特定データに対応する画像に、前記付加データを重畳させる重畳ステップと、
コンピュータに、所定の画像特定データに係る付加データが複数であるか否かを判定させる複数判定ステップとを含み、
前記重畳ステップでは、コンピュータに、所定の画像特定データに係る付加データが複数である場合、前記時間データに基づき、該複数の付加データを時間順に重畳させることを特徴とするコンピュータプログラム。
【発明の詳細な説明】
【技術分野】
【０００１】
本発明は、光ディスクにデータを記録し、又は該光ディスクからデータを読み取る記録再生装置、再生装置、記録方法、再生方法及びコンピュータプログラムに関する。
【背景技術】
【０００２】
一般に、光ディスクには、読み取り専用の光ディスクと、一回だけデータの記録が可能な追記型光ディスクと、記録されたデータの消去及び再記録ができる書換え可能型光ディスクがある。
【０００３】
また、これらの光ディスクの組み合わせによる、いわゆるハイブリッドディスクが開発されている。特許文献１には、光学的に再生可能な情報が設けられた第１の領域と、ユーザが情報を光学的に記録再生できる第２の領域とを混在させることにより、再生専用の情報と書換え可能な情報とをほぼ同時にアクセス可能な光ディスク媒体が開示されている。
【０００４】
一方、最近、大容量のハイビジョン映像を記録できるブルーレイディスクが広く普及されている。また、幾つかのブルーレイディスクにはいわゆるＢＤ−Ｌｉｖｅ（ネットワーク接続機能）が付いており、この機構を用いた新しいサービスが提供されている。
【０００５】
例えば、ブルーレイディスクに記録されているコンテンツを観賞しながら、同じタイトルのコンテンツを楽しんでいる視聴者同士がネットワークを介して接続し、画面上でリアルタイムのチャットができるいわゆるシネチャット（ＣＩＮＥＣＨＡＴ）機能が開示されている。該シネチャット機能を用いることにより、視聴者は前記コンテンツに対する鑑賞を共有できる。
【０００６】
他に、コンテンツに対する鑑賞を共有できるものとしては、インターネットによるコンテンツ配信サービスがある。該コンテンツ配信サービスにおいては、コンテンツに対して視聴者が自由にコメントを書き込み、斯かるサービスを提供するプロバイダが前記コメントを集計して、当該コンテンツの配信の際に前記コメントも共に提供するサービスである。
【先行技術文献】
【特許文献】
【０００７】
【特許文献１】特開平２−２８１４３７号公報
【発明の概要】
【発明が解決しようとする課題】
【０００８】
しかしながら、上述したような特許文献１のシネチャット機能においては、コンテンツに対する鑑賞を共有するためには、当該装置がネットワークに接続していること、視聴者同士が同時間帯に、同じタイトルのコンテンツを鑑賞していること等の条件が前提とされる。
【０００９】
上述したコンテンツ配信サービスにおいても、コンテンツに対する鑑賞を共有するためには、当該装置がネットワークに接続していることが必須であり、前記プロバイダはコンテンツの配信以外にも、コメントの集計、保管及び提供等の負担を、長時間に亘って負うことになる。
【００１０】
本発明は、斯かる事情に鑑みてされたものであり、その目的とするところは、画像コンテンツのデータを記録してある第１層と、データの書き込みが可能な第２層とを有している光ディスクから、前記画像コンテンツのデータを読み取って再生する一方、前記第２層にデータを記録する記録再生装置において、画像コンテンツの再生の際、該画像コンテンツに係る付加データを受け付ける受付手段と、該受付手段が受け付けた付加データを前記第２層に記録する記録手段とを備え、受け付けた付加データを前記第２層に記録しておくことにより、前記光ディスクのコンテンツを再生する際、例えば、前記第２層の前記付加データに基づく付加画像（例えば、コメント）を前記コンテンツと共に表示することが可能となり、ネットワークに接続していること、同時間帯に同じタイトルのコンテンツを再生すること等の条件に制限されることなく、視聴者がコンテンツに対する鑑賞を共有することが出来る上、コンテンツ配信サービスを行うプロバイダに対しては、コメントの集計、保管及び提供等の負担を解消できる記録再生装置、記録方法、及びコンピュータプログラムを提供することにある。
【００１１】
本発明の他の目的は、画像コンテンツのデータを記録してある第１層と、該画像コンテンツに係る付加データが、所定の時間を表す時間データ、及び前記画像コンテンツの何れかの画像を特定する画像特定データに対応付けて記録された第２層とを有している光ディスクから、前記画像コンテンツのデータを読み取って再生する再生装置において、前記画像コンテンツの再生の際、前記第２層から読み取られた画像特定データに対応する画像に、前記付加データを重畳する重畳手段と、所定の画像特定データに係る付加データが複数であるか否かを判定する複数判定手段とを備え、所定の画像特定データに係る付加データが複数である場合、前記重畳手段は、前記第２層から読み取られた時間データに基づき、該複数の付加データを時間順に重畳するように構成することにより、前記光ディスクのコンテンツを再生する際、前記第２層から前記付加データ並びにこれに対応する画像特定データ及び時間データを読み取り、例えば、前記付加データに基づく付加画像（例えば、コメント）を前記コンテンツのデータに重畳して共に表示することが可能となり、ネットワークに接続していること、同時間帯に同じタイトルのコンテンツを再生すること等の条件に制限されることなく、視聴者がコンテンツに対する鑑賞を共有することが出来る上、コンテンツ配信サービスを行うプロバイダに対しては、コメントの集計、保管及び提供等の負担を解消できる再生装置、再生方法及びコンピュータプログラムを提供することにある。
【課題を解決するための手段】
【００１２】
本発明に係る記録再生装置は、画像コンテンツのデータを記録してある第１層と、データの書き込みが可能な第２層とを有している光ディスクから、前記画像コンテンツのデータを読み取って再生する一方、前記第２層にデータを記録する記録再生装置において、画像コンテンツの再生の際、該画像コンテンツに係る付加データを受け付ける受付手段と、該受付手段が受け付けた付加データを前記第２層に記録する記録手段とを備えることを特徴とする。
【００１３】
本発明にあっては、前記光ディスクの画像コンテンツを再生する際、前記受付手段が該画像コンテンツに係る付加データを受け付け、前記受付手段が受け付けた付加データを、前記記録手段が前記光ディスクの第２層に記録する。
【００１４】
本発明に係る記録再生装置は、前記受付手段が付加データを受け付けた時間を特定する時間特定手段を備え、前記記録手段は、前記付加データを、受け付け時に再生していた画像を特定する画像特定データ、及び前記時間特定手段による時間データに対応付けて前記第２層に記録するように構成されていることを特徴とする。
【００１５】
本発明にあっては、前記受付手段が受け付けた付加データは、前記画像特定データ、及び前記付加データを受け付けた時間を特定する時間データに対応付けられ、前記記録手段によって、前記光ディスクの第２層に記録される。
【００１６】
本発明に係る記録再生装置は、前記画像コンテンツの再生中であるか否かを判定する再生判定手段を備え、該再生判定手段が前記画像コンテンツの再生中でないと判定した場合、前記記録手段は前記付加データを前記第２層に記録するように構成されてあることを特徴とする。
【００１７】
本発明にあっては、再生判定手段が前記画像コンテンツの再生中でないと判定した場合、前記記録手段が、前記付加データを前記画像特定データ及び時間データに対応付けて、前記光ディスクの第２層に記録する。
【００１８】
本発明に係る再生装置は、画像コンテンツのデータを記録してある第１層と、該画像コンテンツに係る付加データが、所定の時間を表す時間データ、及び前記画像コンテンツの何れかの画像を特定する画像特定データに対応付けて記録された第２層とを有している光ディスクから、前記画像コンテンツのデータを読み取って再生する再生装置において、前記画像コンテンツの再生の際、前記第２層から読み取られた画像特定データに対応する画像に、前記付加データを重畳する重畳手段と、所定の画像特定データに係る付加データが複数であるか否かを判定する複数判定手段とを備え、所定の画像特定データに係る付加データが複数である場合、前記重畳手段は、前記第２層から読み取られた時間データに基づき、該複数の付加データを時間順に重畳するように構成されてあることを特徴とする。
【００１９】
本発明にあっては、前記複数判定手段が所定の画像特定データに係る付加データが複数であると判定した場合、前記重畳手段は、前記第２層から読み取られた時間データに基づき、前記画像特定データに対応する画像コンテンツの画像に、前記複数の付加データを時間順に重畳する。
【００２０】
本発明に係る再生装置は、所定の画像特定データに係る付加データが複数である場合、前記重畳手段は前記複数の付加データの中、一部のデータを重畳するように構成され、前記重畳手段によって前記複数の付加データの中、一部のデータが重畳された場合、未重畳の付加データの数を表す数データを重畳する数重畳手段を備えていることを特徴とする。
【００２１】
本発明にあっては、所定の画像特定データに係る付加データが複数である場合、前記重畳手段は前記複数の付加データの中、一部のデータを対応する画像コンテンツの画像に重畳し、斯かる場合、前記数重畳手段が未重畳の付加データの数を表す数データを対応する画像コンテンツの画像に重畳する。  
【００２２】
本発明に係る再生装置は、全ての付加データを重畳する指示を受け付ける指示受付手段と、前記重畳手段によって前記複数の付加データの中、一部のデータが重畳された場合、前記指示を受け付けたか否かを判定する指示判定手段とを備え、該指示判定手段が前記指示を受け付けたと判定した場合、前記重畳手段は全ての付加データを重畳するように構成されていることを特徴とする。
【００２３】
本発明にあっては、前記重畳手段によって前記複数の付加データの中、一部のデータが重畳された場合、前記指示受付手段が全ての付加データを重畳する指示を受け付けたか否かを前記指示判定手段によって判定される。該指示判定手段によって前記指示受付手段が前記指示を受け付けたと判定された場合、前記重畳手段は全ての付加データを対応する画像コンテンツの画像に重畳する。
【００２４】
本発明に係る再生装置は、外部から前記画像コンテンツに係る付加データを取得する取得手段を備え、該取得手段が取得した付加データを、前記重畳手段が前記画像コンテンツの画像に重畳するように構成されていることを特徴とする。
【００２５】
本発明にあっては、前記取得手段が外部から付加データを取得し、該付加データを前記重畳手段が対応する画像コンテンツの画像に重畳する。
【００２６】
本発明に係る記録方法は、画像コンテンツのデータを記録してある第１層と、データの書き込みが可能な第２層とを有している光ディスクから、前記画像コンテンツのデータを読み取って前記画像コンテンツを再生する一方、前記第２層にデータを記録し、時間を特定する時間特定手段を備える記録再生装置にて、前記画像コンテンツに係る付加データを前記第２層に記録する記録方法において、前記画像コンテンツの再生の際、前記付加データを受け付ける受付ステップと、該受付ステップが受け付けた付加データを、受け付け時に再生していた画像を特定する画像特定データ、及び前記時間特定手段による時間データに対応付けて前記第２層に記録する記録ステップとを含むことを特徴とする。
【００２７】
本発明に係るコンピュータプログラムは、画像コンテンツのデータを記録してある第１層と、データの書き込みが可能な第２層とを有している光ディスクから、前記画像コンテンツのデータを読み取って再生し、前記画像コンテンツに係る付加データを受け付ける受付手段と、データを前記第２層に記録する記録手段と、時間を特定する時間特定手段とを備える記録再生装置を構成するコンピュータに、前記受付手段が受け付けた付加データを前記第２層に記録させるコンピュータプログラムにおいて、コンピュータに、前記受付手段が受け付けた付加データを、受け付け時に再生していた画像を特定する画像特定データ、及び前記時間特定手段による時間データに対応付けさせるステップと、コンピュータに、前記受付手段が受け付けた付加データと、該付加データに対応する画像特定データ及び時間データとを前記記録手段が記録するように制御させるステップとを含むことを特徴とする。
【００２８】
本発明にあっては、前記光ディスクの画像コンテンツを再生する際、受け付けた付加データを、受け付け時に再生していた画像を特定する画像特定データ、及び前記時間特定手段による時間データに対応付けて、前記光ディスクの第２層に記録する。
【００２９】
本発明に係る再生方法は、画像コンテンツのデータを記録してある第１層と、該画像コンテンツに係る付加データが、所定の時間を表す時間データ、及び前記画像コンテンツの何れかの画像を特定する画像特定データに対応付けて記録された第２層とを有している光ディスクから、前記画像コンテンツのデータを読み取って前記画像コンテンツを再生する再生装置にて、前記付加データを再生する再生方法において、前記画像コンテンツの再生の際、前記第２層から読み取られた画像特定データに対応する画像に、前記付加データを重畳する重畳ステップと、所定の画像特定データに係る付加データが複数であるか否かを判定する複数判定ステップとを含み、所定の画像特定データに係る付加データが複数である場合、前記重畳ステップでは前記第２層から読み取られた時間データに基づき、該複数の付加データを時間順に重畳することを特徴とする。
【００３０】
本発明に係るコンピュータプログラムは、画像コンテンツのデータを記録してある第１層と、該画像コンテンツに係る付加データが、所定の時間を表す時間データ、及び前記画像コンテンツの何れかの画像を特定する画像特定データに対応付けて記録された第２層を有している光ディスクから、前記画像コンテンツのデータを読み取って前記画像コンテンツを再生する再生装置を構成するコンピュータに、前記付加データを再生させるコンピュータプログラムにおいて、コンピュータに、前記画像コンテンツの再生の際、前記第２層から読み込まれた画像特定データに対応する画像に、前記付加データを重畳させる重畳ステップと、コンピュータに、所定の画像特定データに係る付加データが複数であるか否かを判定させる複数判定ステップとを含み、前記重畳ステップでは、コンピュータに、所定の画像特定データに係る付加データが複数である場合、前記時間データに基づき、該複数の付加データを時間順に重畳させることを特徴とする。
【００３１】
本発明にあっては、所定の画像特定データに係る付加データが複数である場合、前記第２層から読み取られた時間データに基づき、前記画像特定データに対応する画像コンテンツの画像に、前記複数の付加データを時間順に重畳する。
【発明の効果】
【００３２】
本発明によれば、受け付けた付加データを前記第２層に記録しておくので、前記光ディスクのコンテンツを再生する際、例えば、前記第２層の前記付加データに基づく付加画像（例えば、コメント）を前記コンテンツと共に表示することが可能となり、ネットワークに接続していること、同時間帯に同じタイトルのコンテンツを再生すること等の条件に制限されることなく、視聴者がコンテンツに対する鑑賞を共有することが出来る上、コンテンツ配信サービスを行うプロバイダに対しては、コメントの集計、保管及び提供等の負担を解消できる。
【００３３】
本発明によれば、前記光ディスクのコンテンツを再生する際、前記第２層から前記付加データ、並びにこれに対応する画像特定データ及び時間データを読み取り、例えば、前記付加データに基づく付加画像（例えば、コメント）を前記コンテンツのデータに重畳して、前記コンテンツと共に表示することが出来るので、ネットワークに接続していること、同時間帯に同じタイトルのコンテンツを再生すること等の条件に制限されることなく、視聴者がコンテンツに対する鑑賞を共有することが出来る上、コンテンツ配信サービスを行うプロバイダに対しては、コメントの集計、保管及び提供等の負担を解消できる。
【図面の簡単な説明】
【００３４】
【図１】本発明の実施の形態１の光ディスク装置の要部構成の一例を示す機能ブロック図である。
【図２】本発明の実施の形態１の光ディスク装置におけるコメントのデータ記録処理を示すフローチャートである
【図３】本発明の実施の形態１の光ディスク装置におけるコメントのデータ重畳処理を示すフローチャートである。
【図４】実施の形態１の光ディスク装置において、所定の画像特定データに係るコメントの数が１つである場合のコメントの表示例を示す例示図である。
【図５】実施の形態１の光ディスク装置において、所定の画像特定データに係るコメントのデータの数が複数である場合の未重畳のコメントのデータの数の表示例を示す例示図である。
【図６】実施の形態１の光ディスク装置において、所定の画像特定データに係るコメントのデータの数が複数である場合の全てのコメントの表示例を示す例示図である。
【図７】本発明の実施の形態１の光ディスク装置におけるコメント表示処理の変形例を示す例示図である。
【図８】本発明の実施の形態２の光ディスク装置の要部構成の一例を示す機能ブロック図である。
【発明を実施するための形態】
【００３５】
以下に、本発明の実施の形態に係る、記録再生装置、再生装置、記録方法、再生方法及びコンピュータプログラムを、光ディスク装置に適用した場合を例として、図面に基づいて詳述する。
【００３６】
本発明に係る記録再生装置及び再生装置は、書換え可能な記録部を有するハイブリッドディスクに対応可能である。ハイブリッドディスクとは、ＲＯＭ層と、ＲＥ層とを共に有する光ディスクである。また、本発明に係る記録再生装置及び再生装置は、前記ハイブリッドディスクのコンテンツ（動画像）のデータを読み取り、該コンテンツを再生して表示部に表示することが出来る。更に、本発明に係る記録再生装置及び再生装置は、前記コンテンツに係る付加データを視聴者から受け付け、前記ハイブリッドディスクの書換え可能な記録部（ＲＥ層）に記録し、又は該ＲＥ層に記録されている付加データを読み取り、該付加データに基づく付加画像を表示部に表示することが出来る。
【００３７】
以下においては、前記付加画像が、前記コンテンツの所定の表示画像に対する視聴者からのコメント（テキスト画像）であって、前記付加データがコメントのデータであり、前記光ディスクが前記ハイブリッドディスクである場合を例として説明する。すなわち、該ハイブリッドディスクに記録されている動画像の再生の際に所定の表示画像に対してコメントを残したい場合、視聴者は例えば携帯電話を用いてコメントを作成して本発明に係る記録再生装置に送り、本発明に係る記録再生装置は該コメントのデータを受け付け、前記ハイブリッドディスクのＲＥ層に記録する。また、前記付加画像は視聴者からのコメントに限るものでなく、例えば、写真等の画像であっても良い。一方、本発明に係る再生装置は、上述した方法によって、ＲＥ層にコメントのデータが記録されているハイブリッドディスクから前記コメントのデータを読み取り、該コメントのデータに係るテイスト画像を表示部に表示する。以下の実施の形態においては、前記記録再生装置及び再生装置が同一の光ディスク装置である。
【００３８】
（実施の形態１）
図１は本発明の実施の形態１の光ディスク装置の要部構成の一例を示す機能ブロック図であり、図中、符号１は本発明に係る記録再生装置及び再生装置としての光ディスク装置を示している。
【００３９】
本発明の光ディスク装置１は、ハイブリッドディスクにレーザ光を照射してデータを記録し、又は前記レーザ光の反射光を取得してデータを読み取る光ピックアップ２（記録手段）と、光ピックアップ２から出力されるデータを用い、前記動画像を再生する再生部３と、再生部３から出力されるビデオ信号に基づく画像の出力を行う外部の表示部４と、再生部３から出力されるオーディオ信号に基づく音の出力を行う外部のスピーカ５とを備えている。
【００４０】
また、本発明の光ディスク装置１は、視聴者からのコメントのデータ、装置自体の操作の指示等を受け付ける受付部７（受付手段、指示受付手段）と、ネットワークを介して前記コメントのデータを取得する通信部８（取得手段）とを備えており、受付部７又は通信部８を介して取得したコメントのデータ、並びにハイブリッドディスクＣのＲＥ層に記録されており、レーザ光の反射光から取得されるコメントのデータを前記コンテンツの画像に重畳して表示部４に出力する重畳部９を更に備えている。
【００４１】
更に、本発明の光ディスク装置１は、制御部１０を備えている。制御部１０は、ＣＰＵ１１、ＲＯＭ１２及びＲＡＭ１３を備えている。ＲＯＭ１２には各種の制御プログラムが予め格納されており、ＲＡＭ１３は、複数のデータを記憶し、記憶順、記憶位置等に関係なく読み出すことが可能である。また、ＲＡＭ１３は、例えば、ＲＯＭ１２から読み出されたプログラム、該プログラムを実行することにより発生するデータ、外部から受信したデータ等を一時的に記憶する。ＲＡＭ１３は、ＣＰＵ１１の読出指示に応じて記憶してある各種データ等を適宜読み出す。
【００４２】
ＣＰＵ１１は、ＲＯＭ１２に予め格納されている制御プログラムをＲＡＭ１３上にロードして実行することによって前述の各種ハードウェアの制御を行い、光ディスク装置１を本発明の実施の形態１に係る再生装置として動作させる。
【００４３】
また、所定の時間を特定し、及び時間の経過を計時する計時部１４（時間特定手段）を備え、計時部１４による時間特定の結果、又は計時結果に基づき、後述するように、コメントのデータをハイブリッドディスクＣのＲＥ層に記録し、又は表示部４に表示されたコメントを削除する処理を行う。
【００４４】
光ディスク装置１において、ハイブリッドディスクＣはスピンドルモータに設けられたターンテーブル（図示せず）に載置されて回転され、この際ハイブリッドディスクＣのデータ面に対物レンズ２１からのレーザ光が照射される。
【００４５】
ハイブリッドディスクＣは動画像が記録されているＲＯＭ層のコンテンツ記録層Ｌ１（第１層）を有しており、コンテンツ記録層Ｌ１は、例えば、ＢＤ−ＲＯＭ等からなる。また、ハイブリッドディスクＣはコメントのデータが記録されているＲＥ層の書換え記録層Ｌ０（第２層）を有しており、書換え記録層Ｌ０は、例えば、ＢＤ−ＲＥ等からなる。
詳しくは、ハイブリッドディスクＣは、いわゆるラベル面から、前記データ面に向けて、下地基板と、書換え記録層Ｌ０と、書換え記録層Ｌ０及びコンテンツ記録層Ｌ１を離間させるスペーサ層と、コンテンツ記録層Ｌ１と、データを保護する保護コーティング層とが順に積層されている。
【００４６】
光ピックアップ２は、対物レンズ２１と、対物レンズ２１を移動させるアクチュエータ２２と、挿入されたハイブリッドディスクＣのＲＯＭ層から動画像のデータの読み取り、又はハイブリッドディスクＣのＲＥ層にデータの記録を行うために、対物レンズ２１を介してレーザ光を照射するレーザ出力部２３と、受光素子等を備えている。
【００４７】
対物レンズ２１は、ハイブリッドディスクＣの前記データ面に対向配置されており、アクチュエータ２２によって、ハイブリッドディスクＣの前記データ面に対して接離する方向に移動される。
【００４８】
レーザ出力部２３は、対物レンズ２１を介してハイブリッドディスクＣのデータ面にレーザ光を照射する。レーザ出力部２３から出力されるレーザ光のパルス幅、パワー、波長等は、例えば、ＯＰＣ（Optimum Power Control）処理に基づき、レーザ制御部６によって調整される。ハイブリッドディスクＣからデータを読み取る際には、レーザ制御部６の制御によってレーザ出力部２３から読取用レーザ光が出力され、ハイブリッドディスクＣにデータを記録する際には、レーザ制御部６の制御によってレーザ出力部２３から記録用レーザ光が出力される。
【００４９】
なお、ハイブリッドディスクＣのコンテンツ記録層Ｌ１又は書換え記録層Ｌ０からデータを読み取る際には、アクチュエータ２２によって対物レンズ２１が前記接離方向に適宜移動し、レーザ出力部２３から出力されるレーザ光の波長がレーザ制御部６の制御によって調整される。
【００５０】
ハイブリッドディスクＣからデータを読み取る際、レーザ出力部２３から照射された再生用レーザ光は、コンテンツ記録層Ｌ１又は書換え記録層Ｌ０から反射され、斯かる反射光に基づく電気信号を、再生部３にてビデオ信号及びオーディオ信号に変換して表示部４及びスピーカ５に出力する。
【００５１】
詳しくは、前記再生部３では、前記電気信号に対して、増幅、復調、エラー訂正等を施した後、1つの信号になっている映像、音声、字幕等を夫々の識別子に従って分離してデコード処理を行う。このようにして再生部３から出力されるビデオ信号及びオーディオ信号は、夫々表示部４及びスピーカ５にて動画像又は音声として出力される。
【００５２】
受付部７は、例えば、リモートコントローラを介して視聴者から送信される、再生、停止、一時停止等の装置自体の操作の指示を受け付ける。また、赤外線通信、Ｂｌｕｅｔｏｏｔｈ（登録商標）等の機能を備えた携帯電話のような外部機器を介して、視聴者からコメントのデータを受け付けることが出来るように構成されている。なお、これに限るものでなく、受付部７はキーボードを備えるように構成しても良い。
【００５３】
通信部８は、例えばネットワークを介してＰ２Ｐ（Peer to Peer）通信が可能であり、所定の表示画像に重畳して表示部４に表示すべきコメントに係るデータを外部から取得するネットワークカード、モデム等を備えている。
【００５４】
以下に、実施の形態１の光ディスク装置１において、視聴者からコメントのデータを受け付け、ハイブリッドディスクＣの書換え記録層Ｌ０に記録するコメントのデータ記録処理、及びハイブリッドディスクＣの書換え記録層Ｌ０に既に記録されているコメントのデータを読み取って該コメントのデータに基づくコメントを所定の表示画像に重畳して表示部４に表示するコメントのデータ重畳処理について説明する。
【００５５】
図２は本発明の実施の形態１の光ディスク装置１におけるコメントのデータ記録処理を示すフローチャートである。説明の便宜上、挿入されたハイブリッドディスクＣのコンテンツ記録層Ｌ１には、複数のフレームからなる動画像のデータが記録されており、該動画像の視聴の際に所定の表示画像にて、視聴者が自分の携帯電話からコメントを光ディスク装置１に送る場合を例に挙げて説明する。
【００５６】
光ディスク装置１が前記ターンテーブルに載置されたハイブリッドディスクＣのコンテンツ記録層Ｌ１から動画像のデータを読み取って該動画像を再生する際、所定の表示画像に対して視聴者が携帯電話からコメントを送る。斯かる際、制御部１０のＣＰＵ１１は、受付部７を介してコメントのデータを受け付ける（ステップＳ１０１）。
【００５７】
ＣＰＵ１１は受け付けたコメントのデータを、該コメントのデータを受け付けた際の表示部４の表示画像を特定する画像特定データ（以下、画像特定データと言う）、及び受け付けた際の時間を表す時間データ（以下、受付時間データと言う）に対応付けてＲＡＭ１３に一時的に記憶しておく（ステップＳ１０２）。
【００５８】
例えば、ＣＰＵ１１は、前記コメントのデータを受け付けた際の表示部４の表示画像に対応するフレームを特定するフレーム特定データ（例えば、currentframeプロパティ）を前記画像特定データとし、前記コメントのデータを受け付けた時に計時部１４から取得できる時間データを前記受付時間データとして、前記コメントのデータに対応付けてＲＡＭ１３に記憶する。
【００５９】
次いで、ＣＰＵ１１は、現在、動画像の再生中であるか否かの判定を行う（ステップＳ１０３）。例えば、ＣＰＵ１１は受付部７を監視し、受付部７が「一時停止」、「停止」、「電源オフ」等の操作の指示を受け付けた場合、動画像の再生中でないと判定する。
【００６０】
ＣＰＵ１１は、動画像の再生中であると判定した場合（ステップＳ１０３：ＹＥＳ）、動画像の再生中でないと判定されるまで前記判定を繰り返す。一方、動画像の再生中でないと判定した場合（ステップＳ１０３：ＮＯ）、ＲＡＭ１３に記録している前記コメントのデータをハイブリッドディスクＣの書換え記録層Ｌ０に記録する（ステップＳ１０４）。斯かる際、ＲＡＭ１３に記憶されている、前記画像特定データ及び受付時間データも共に対応付けて記録する。
【００６１】
図３は本発明の実施の形態１の光ディスク装置１におけるコメントのデータ重畳処理を示すフローチャートである。説明の便宜上、挿入されたハイブリッドディスクＣのコンテンツ記録層Ｌ１には、複数のフレームからなる動画像が記録されており、書換え記録層Ｌ０には、例えば図２に示すような手法によるコメントのデータが記録されており、該動画像の再生の際に前記コメントのデータを読み取って、所定の表示画像に対して当該コメントを表示部４に表示する場合を例に説明する。
【００６２】
例えば、受付部７を介して前記ターンテーブルに載置されたハイブリッドディスクＣの再生の指示を受け付けた場合、ＣＰＵ１１は、書換え記録層Ｌ０からコメントのデータ、並びに該コメントのデータに係る画像特定データ及び受付時間データを読み取る（ステップＳ２０１）。読み取られたコメントのデータ、画像特定データのデータ及び受付時間データは、ＲＡＭ１３に記憶される。
【００６３】
次いで、ＣＰＵ１１は、再生において表示部４に表示される表示画像毎に、コメントを表示すべき表示画像であるか否かの判定を行う（ステップＳ２０２）。斯かる判定は、ＣＰＵ１１が、再生中の動画像のフレーム特定データ（画像特定データ）と、書換え記録層Ｌ０から読み取った画像特定データとを対照することによって行われる。
【００６４】
ＣＰＵ１１は、コメントを表示すべき表示画像でないと判定した場合（ステップＳ２０２：ＮＯ）、コメントを表示すべき表示画像であると判定されるまで前記判定を繰り返して行う。
【００６５】
一方、ＣＰＵ１１は、コメントを表示すべき表示画像であると判定した場合（ステップＳ２０２：ＹＥＳ）、引き続き、該表示画像（画像特定データ）に係るコメントのデータが複数であるか否かの判定を行う（ステップＳ２０３）。該判定は、例えば、ＣＰＵ１１が、読み取ってＲＡＭ１３に記憶している、当該画像特定データに係るコメントのデータを計数することによって行われる。
【００６６】
ＣＰＵ１１は、前記画像特定データに係るコメントのデータが複数でないと判定した場合（ステップＳ２０３：ＮＯ）、ＲＡＭ１３に記憶しているコメントのデータの当該表示画像への重畳を行う（ステップＳ２１０）。すなわち、ＣＰＵ１１は重畳部９に指示し、重畳部９はＲＡＭ１３に記憶されているコメントのデータを、対応する表示画像に重畳し、該コメントのデータに基づくコメントのテキスト画像が前記表示画像に合成され、表示部４に表示される。
【００６７】
図４は実施の形態１の光ディスク装置１において、所定の画像特定データに係るコメントの数が１つである場合のコメントの表示例を示す例示図である。表示部４にはいわゆるダイアログボックスが表示され、ハイブリッドディスクＣの書換え記録層Ｌ０から読み取ったコメントのデータに基づくコメントが、該ダイアログボックスの中に表示されている。
【００６８】
その後、ＣＰＵ１１は、計時部１４の計時結果に基づき、コメントを表示部４に表示してから所定時間が経過したか否かを判定する（ステップＳ２１１）。ＣＰＵ１１は所定時間が経過していないと判定した場合（ステップＳ２１１：ＮＯ）、処理をステップＳ２１０に戻す。すなわち、ＣＰＵ１１は所定時間が経過するまでコメントを表示部４に表示する。
【００６９】
また、ＣＰＵ１１は、所定時間が経過したと判定した場合（ステップＳ２１１：ＹＥＳ）、表示部４に表示していたコメントを削除する（ステップＳ２０８）。
【００７０】
一方、ステップＳ２０３にて、前記画像特定データに係るコメントのデータが複数であると判定した場合（ステップＳ２０３：ＹＥＳ）、ＣＰＵ１１は、重畳部９に指示することにより、前記複数のコメントのデータの中、１つのコメントのデータのみを重畳する（ステップＳ２０４）。従って、前記表示画像に１つのコメントが合成され、表示部４に表示する。例えば、ＣＰＵ１１は、前記複数のコメントのデータに係る夫々の受付時間データに基づき、最先のコメントのみを表示するように構成してもよい。
【００７１】
引き続き、ＣＰＵ１１は、前記複数のコメントのデータの中、重畳されていないコメントのデータ（以下、未重畳のコメントのデータと言う）の数を表す数データを前記表示画像に重畳する（ステップＳ２０５）。すなわち、ＣＰＵ１１は、前記数データの重畳を重畳部９に指示し、例えば、重畳部９は該数データを前記表示画像重畳し、該数データに係る数字のテキスト画像が前記表示画像に合成され、表示部４に表示される。
【００７２】
図５は実施の形態１の光ディスク装置１において、所定の画像特定データに係るコメントのデータの数が複数である場合の未重畳のコメントのデータの数の表示例を示す例示図である。表示部４の前記ダイアログボックスの中には１つのコメントが表示されており、該コメントの文尾に未重畳のコメントのデータの数を表す数字が共に表示されている。
【００７３】
次いで、ＣＰＵ１１は、受付部７を監視することによって、「一時停止」の操作の指示を受け付けたか否かを判定する（ステップＳ２０６）。ＣＰＵ１１は「一時停止」の操作の指示を受け付けたと判定した場合（ステップＳ２０６：ＹＥＳ）、全てのコメントのデータを重畳する（ステップＳ２１２）。すなわち、ＣＰＵ１１は重畳部９に指示を行い、重畳部９はＲＡＭ１３に記憶されている全てのコメントのデータを、一時停止状態にて表示部４へ表示されている表示画像に重畳する。従って、全てのコメントのテキスト画像が、表示部４に表示されている表示画像に合成されて表示される。斯かる際、各コメントは、ＲＡＭ１３に記憶されている夫々の受付時間データに基づき、例えば、上から下へ時間順に表示される。
【００７４】
図６は実施の形態１の光ディスク装置１において、所定の画像特定データに係るコメントのデータの数が複数である場合の全てのコメントの表示例を示す例示図である。表示部４の前記ダイアログボックスの中に、全てのコメントが、夫々の受付時間データに基づき、換言すれば、受付順に、上から下に表示されている。
【００７５】
次いで、ＣＰＵ１１は、再生が再開されたか否かを判定する（ステップＳ２１３）。斯かる判定は、ＣＰＵ１１が、受付部７が「再生」の操作の指示を受け付けたか否かを監視することによって、行われる。
【００７６】
ＣＰＵ１１は再生が再開されていないと判定した場合（ステップＳ２１３：ＮＯ）、処理をステップＳ２１２に戻す。すなわち、ＣＰＵ１１は再生が再開するまで全てのコメントを表示部４に表示する。
【００７７】
また、ＣＰＵ１１は再生が再開されたと判定した場合（ステップＳ２１３：ＹＥＳ）、処理を再びステップＳ２０４に戻す。すなわち、再生が再開された場合は、１つのコメントのみが表示され、未重畳のコメントのデータの数が共に表示される。
【００７８】
一方、ＣＰＵ１１は、ステップＳ２０６にて、「一時停止」の操作の指示を受け付けていないと判定した場合（ステップＳ２０６：ＮＯ）、引き続き、表示部４に１つのコメントを表示してから所定時間が経過したか否かの判定を行う（ステップＳ２０７）。斯かる判定は、ＣＰＵ１１が計時部１４の計時結果に基づいて行う。
【００７９】
ＣＰＵ１１は所定時間が経過していないと判定した場合（ステップＳ２０７：ＮＯ）、処理をステップＳ２０４に戻す。すなわち、ＣＰＵ１１は所定時間が経過するまでに、１つのコメントを表示部４に表示する。また、ＣＰＵ１１は、所定時間が経過したと判定した場合（ステップＳ２０７：ＹＥＳ）、表示部４に表示していたコメントを削除する（ステップＳ２０８）。
【００８０】
次いで、ＣＰＵ１１は前記動画像の再生が終了したか否かの判定を行う（ステップＳ２０９）。斯かる判定は、例えば、再生中の動画像の総フレーム数等を含む総プロパティ（いわゆる、totalframeプロパティ）と、現在に表示部４に表示されている表示画像に係るフレーム特定データとを比較することによって行われる。
【００８１】
ＣＰＵ１１は前記動画像の再生が終了していないと判定した場合（ステップＳ２０９：ＮＯ）、処理をステップＳ２０２に戻す。一方、前記動画像の再生が終了したと判定した場合（ステップＳ２０９：ＹＥＳ）、処理を終了する。
【００８２】
本発明の実施の形態１の光ディスク装置１は、以上のような構成を有するので、当該装置がネットワークに接続していること、視聴者同士が同時間帯に、同じタイトルのコンテンツを鑑賞していること等の条件を満たさない状況においても、コンテンツに対する鑑賞を視聴者が共有することが出来る。また、コンテンツ配信サービス行うプロバイダにおいては、コメントの集計、保管及び提供等の負担を解消できる。
【００８３】
また、本発明の実施の形態１の光ディスク装置１において、ハイブリッドディスクＣの書換え記録層Ｌ０に記録する前記コメントのデータは１つのファイルである必要はなく、複数のファイルであっても良い。
【００８４】
また、本発明の実施の形態１の光ディスク装置１においては、表示部４に表示するコメントに色を付け、例えば、時間別、地域別、コメントの内容別、コメント作成者別にコメントの色が異なるように構成しても良い。
【００８５】
また、以上の記載においては、一時停止の際、前記コメントのデータをハイブリッドディスクＣの書換え記録層Ｌ０に記録する場合を例として説明したが、これに限るものでなく、例えば、イジェクトの際に記録を行うように構成しても良い。  
【００８６】
また、本発明の実施の形態１の光ディスク装置１は、上述した構成に限るものでない。例えば、通信部８はＰ２Ｐ通信が可能であるので、光ディスク装置１がネットワークに接続されている場合は、ネットワーク上に存在する相手装置のＩＰアドレスを取得してＰ２Ｐのノードに参加し、世界中から同じコンテンツに係るコメントのデータを集計することが出来る。
【００８７】
光ディスク装置１がインターネットに接続すると、光ディスク装置１が挿入されているハイブリッドディスクＣのコンテンツのファイル名、ハイブリッドディスクＣの固有番号等をキーワードとして、Ｐ２Ｐのノードに参加し、情報を共有する。斯かる際、必要な情報は光ディスク装置１が自動的に、相手又は自機のハイブリッドディスクＣから取得するので、ユーザ（視聴者）が情報を入力する必要はない。光ディスク装置１はネットワークから同じタイトル（コンテンツのファイル名）のハイブリッドディスクＣが挿入されている相手装置を探し、見つかった場合は情報の共有を自動的に行う。この際、該当のハイブリッドディスクＣのコンテンツが再生中である必要はなく、相手装置に挿入された状態であって情報の読み出しが可能であれば良い。
【００８８】
例えば、共有情報（例えば、コメントのデータ）が大量である場合は、任意にマージ処理を行うように構成しても良い。これについては当該装置の能力にも依存するため、特に制限はない。例えば、取得したコメントのデータは、上述したように、一時停止、イジェクト等をトリガーとしてハイブリッドディスクＣに記録する。
【００８９】
また、光ディスク装置１で、ハイブリッドディスクＣの書換え記録層Ｌ０に記録されるコメントのデータの量を制限することにより、対応する画像に重畳するコメントのデータの数、すなわち、表示部４に表示されるコメントの数を制御するように構成しても良い。
【００９０】
このような制限機能については、例えば、ネットワークから情報を取得する際に、ＩＰアドレス、ハイブリッドディスクＣのリージョンコード、装置自機の情報を用い、国又は地域を特定し、その情報を付随して保存する事で表示の制御を行っても良い。これにより、異国からのコメントのデータを抑制し、又は特定の地域だけに制限し、選択的にコメントのデータを取得する等が可能となる。日本の地上デジタル放送対応レコーダ等の場合、地域設定の情報の中に郵便番号、地域設定等があるがこれを利用すると更に正確に地域を特定することが可能となる。なお、Ｐ２ＰソフトとしてはＷｉｎｎｙ等の技術が使用可能である。
【００９１】
また、本発明の実施の形態１の光ディスク装置１は、上述した構成に限るものでない。例えば、視聴者が他人のコメントに対して更にコメント（以下、返事と言う）する場合が想定される。このような場合に対しては、前記返事を受け付けるための受付手段を備え、該受付手段を介して受け付けた返事を前記他人のコメントに関連付けて、ハイブリッドディスクＣの書換え記録層Ｌ０に記録する。ハイブリッドディスクＣの動画像の再生において前記他人のコメントを表示する際には、前記返事を常に表示するものでなく、返事の有無及びその数だけを表示する（例えば、図７（ａ）参照）。全返事を表示する指示を受け付ける受付手段を更に備え、該受付手段が全返事を表示する指示を受け付けた場合、全返事を表示するように構成しても良い（例えば、図７（ｂ）参照）。
【００９２】
（実施の形態２）
図８は本発明の実施の形態２の光ディスク装置１の要部構成の一例を示す機能ブロック図である。実施の形態２の光ディスク装置１は、動作を行うためのコンピュータプログラムが、通信部８の通信インターフェースを介してフラッシュメモリ等の記録媒体の可搬型記録媒体Ａで提供することも可能であるように構成されている。更に、実施の形態２の光ディスク装置１は、前記コンピュータプログラムを、図示しない外部装置から通信部８を介してダウンロードすることも可能であるように構成されている。以下に、その内容を説明する。
【００９３】
実施の形態２の光ディスク装置１は外装（又は内装）の記録媒体読み取り装置（図示せず）を備えており、該記録媒体読み取り装置に、受け付けた付加データ（コメントのデータ）を、受け付けた時に再生していた画像を特定する画像特定データ、及び時間特定手段（計時部１４）による時間データに対応付けさせ、受け付けた付加データと、該付加データに対応する画像特定データ及び時間データとを前記記録手段が記録するように制御させ、画像コンテンツの再生の際、読み込まれた画像特定データに対応する画像に、前記付加データを重畳させ、所定の画像特定データに係る付加データが複数であるか否かを判定させるプログラム等が記録された可搬型記録媒体Ａを挿入して、例えば制御部１０の記憶部（図示せず）にこのプログラムをインストールする。斯かるプログラムはＲＡＭ１３にロードして実行される。これにより、実施の形態２の本発明の光ディスク装置１として機能する。
【００９４】
実施の形態１と同様の部分については、同一の符号を付して詳細な説明を省略する。
【符号の説明】
【００９５】
１  光ディスク装置
２  光ピックアップ
７  受付部
８  通信部
９  重畳部
１０  制御部
１１  ＣＰＵ
１４  計時部
Ｃ  ハイブリッドディスク
Ｌ０  書換え記録層
Ｌ１  コンテンツ記録層
【図１】
2011181137.tif 000003
【図２】
2011181137.tif 000004
【図３】
2011181137.tif 000005
【図４】
2011181137.tif 000006
【図５】
2011181137.tif 000007
【図６】
2011181137.tif 000008
【図７】
2011181137.tif 000009
【図８】
2011181137.tif 000010